(57)【要約】【課題】本発明の目的は、コンテンツを再生する際に、任意の時間間隔でこのコンテンツを再生する周囲の環境機器の制御を行うことができる再生装置を提供することである。【解決手段】圧縮データの復号時に基準となる同期情報を生成する手段（２３０）と、映像装置へ出力するビデオデータ及びこの映像装置周辺の環境を形成する環境機器を制御する制御データそれぞれが復号時に同期情報を参照する参照値を有する形式で圧縮されたコンテンツを読み取る手段（２１０）と、圧縮されたビデオデータを、ビデオデータ内の参照値及び同期情報を用いて復号し、映像装置へ出力する復号器（３３０）と、圧縮された制御データを、制御データ内の参照値及び同期情報を用いて、環境機器へ復号出力することによって、映像装置周辺の環境を復号されたビデオデータに同期させた形で制御する制御部（４００）とを備える再生装置。【選択図】      図１
2004180206.tif 000002
【特許請求の範囲】
【請求項１】
圧縮されたデータを復号するときに基準となる同期情報を、生成する手段と、
映像装置へ出力するビデオデータ及びこの映像装置周辺の環境を形成する環境形成装置を制御する環境形成装置用制御データそれぞれが復号時に前記同期情報を参照する参照値を有する形式で圧縮されたコンテンツを、読み取る手段と、
前記圧縮されたビデオデータを、該ビデオデータ内の参照値及び前記同期情報を用いて復号し、前記映像装置へ出力する復号器と、
前記圧縮された環境形成装置用制御データを、該制御データ内の参照値及び前記同期情報を用いて復号し、前記環境形成装置へ出力することによって、前記映像装置周辺の環境を前記復号されたビデオデータに同期させた形で制御する制御部と
を備える再生装置。
【請求項２】
前記コンテンツは、前記圧縮されたビデオデータ及び環境形成装置用制御データとは別に、前記圧縮された環境形成装置用制御データを復号する復号プログラムをさらに含み、
前記制御部は、前記復号プログラムを読み込むことによって、前記圧縮された環境形成装置用制御データを、該制御データ内の参照値及び前記同期情報を用いて復号し、前記環境形成装置へ出力することによって、前記映像装置周辺の環境を前記復号されたビデオデータに同期させた形で制御することを特徴とする請求項１記載の再生装置。
【請求項３】
前記環境形成装置は、少なくとも照明機器であることを特徴とする請求項１又は２記載の再生装置。
【請求項４】
圧縮されたデータを復号するときに基準となる同期情報を参照する参照値を有する形式で圧縮されたコンテンツであって、
前記コンテンツでは、映像装置へ出力するビデオデータと、この映像装置周辺の環境を形成する環境形成装置を制御する制御データとがそれぞれ圧縮されており、
前記圧縮されたビデオデータは、該ビデオデータ内の参照値及び前記同期情報を用いて復号されることによって、前記映像装置で再生され、
前記圧縮された環境形成装置用制御データは、該制御データ内の参照値及び前記同期情報を用いて復号され、前記環境形成装置へ出力されることによって、前記映像装置周辺の環境を前記復号されたビデオデータに同期させた形で制御するコンテンツ。
【請求項５】
少なくとも圧縮されたビデオデータと時刻参照値を含むビデオパックを有するコンテンツを読み出す手段と、前記コンテンツのビデオパックの時刻参照値とシステム時刻情報とを利用してビデオデータに復号する手段とを有して、前記コンテンツからビデオデータを再生するようにコンピュータを制御するコンテンツ再生プログラムであって、
前記コンテンツが、環境形成装置を制御するための圧縮された制御データと時刻参照値を含む環境制御パックを含む場合には、
前記コンテンツから、前記環境制御パックを検出する手段と、この手段により環境制御パックを検出した場合に当該環境制御パックの時刻参照値と前記システム時刻情報とを利用して環境制御データに復号する手段とを備え、前記ビデオデータの再生に同期するよう前記環境制御データを再生することを特徴とするコンテンツ再生プログラム。
【発明の詳細な説明】
【０００１】
【発明の属する技術分野】
本発明は、動画データ等のコンテンツデータを再生する装置に関し、特に、コンテンツデータに加えて照明機器等の周辺環境機器も同時に制御して、臨場感を上げることのできる装置に関する。
【０００２】
【従来の技術】
ユーザが音楽や音声に合わせてリスニング環境をその都度設定できれば臨場感をあげることができる。
従来の再生システムでは、ディジタル・オーディオ・テープレコーダ（ＤＡＴ）の音楽再生をより臨場感のあるように行うために、ＤＡＴの各トラックのサブエリアを利用している。例えば、リスニングルームの照明器具のＯＮ，ＯＦＦを制御する制御信号をこのサブエリアに記録させている。これによって、各トラックのメインエリアに記録されている音楽データを再生すると同時に、対応するトラックのサブエリアに記録されている制御信号によって照明器具のＯＮ，ＯＦＦを制御することができ、リスニング環境の臨場感を高めることができる（例えば特許文献１参照）。
【０００３】
【特許文献１】
特開平５−１７４５５５号公報（第４〜５頁、図５）
【０００４】
【発明が解決しようとする課題】
しかし、上述したサブエリアを利用する従来の記録再生システムでは、ＤＡＴのトラック単位での環境設定しかできなかった。例えば、トラック単位よりもより細かい時間間隔での照明器具の点滅などを制御することができなかった。
【０００５】
本発明の目的は、コンテンツを再生する際に、任意の時間間隔でこのコンテンツを再生する周囲の環境機器の制御を行うことができる再生装置を提供することである。
【０００６】
【課題を解決するための手段】
第１の発明は、圧縮されたデータを復号するときに基準となる同期情報を、生成する手段と、映像装置へ出力するビデオデータ及びこの映像装置周辺の環境を形成する環境形成装置を制御する環境形成装置用制御データそれぞれが復号時に前記同期情報を参照する参照値を有する形式で圧縮されたコンテンツを、読み取る手段と、前記圧縮されたビデオデータを、該ビデオデータ内の参照値及び前記同期情報を用いて復号し、前記映像装置へ出力する復号器と、前記圧縮された環境形成装置用制御データを、該制御データ内の参照値及び前記同期情報を用いて復号し、前記環境形成装置へ出力することによって、前記映像装置周辺の環境を前記復号されたビデオデータに同期させた形で制御する制御部とを備える再生装置である。
【０００７】
第２の発明は、前記コンテンツは、前記圧縮されたビデオデータ及び環境形成装置用制御データとは別に、前記圧縮された環境形成装置用制御データを復号する復号プログラムをさらに含み、前記制御部は、前記復号プログラムを読み込むことによって、前記圧縮された環境形成装置用制御データを、該制御データ内の参照値及び前記同期情報を用いて復号し、前記環境形成装置へ出力することによって、前記映像装置周辺の環境を前記復号されたビデオデータに同期させた形で制御することを特徴とする第１の発明記載の再生装置である。
【０００８】
第３の発明は、前記環境形成装置は、少なくとも照明機器であることを特徴とする第１又は第２の発明記載の再生装置である。
第４の発明は、圧縮されたデータを復号するときに基準となる同期情報を参照する参照値を有する形式で圧縮されたコンテンツであって、前記コンテンツでは、映像装置へ出力するビデオデータと、この映像装置周辺の環境を形成する環境形成装置を制御する制御データとがそれぞれ圧縮されており、前記圧縮されたビデオデータは、該ビデオデータ内の参照値及び前記同期情報を用いて復号されることによって、前記映像装置で再生され、前記圧縮された環境形成装置用制御データは、該制御データ内の参照値及び前記同期情報を用いて復号され、前記環境形成装置へ出力されることによって、前記映像装置周辺の環境を前記復号されたビデオデータに同期させた形で制御するコンテンツである。
【０００９】
第５の発明は、少なくとも圧縮されたビデオデータと時刻参照値を含むビデオパックを有するコンテンツを読み出す手段と、前記コンテンツのビデオパックの時刻参照値とシステム時刻情報とを利用してビデオデータに復号する手段とを有して、前記コンテンツからビデオデータを再生するようにコンピュータを制御するコンテンツ再生プログラムであって、前記コンテンツが、環境形成装置を制御するための圧縮された制御データと時刻参照値を含む環境制御パックを含む場合には、前記コンテンツから、前記環境制御パックを検出する手段と、この手段により環境制御パックを検出した場合に当該環境制御パックの時刻参照値と前記システム時刻情報とを利用して環境制御データに復号する手段とを備え、前記ビデオデータの再生に同期するよう前記環境制御データを再生することを特徴とするコンテンツ再生プログラムである。
【００１０】
【発明の実施の形態】
以下、本発明の実施の形態について図面を参照しながら説明する。ここで、説明の簡略化のため、映像及び音声などの動画コンテンツをＭＰＥＧ（Ｍｏｖｉｎｇ  Ｐｉｃｔｕｒｅ  Ｅｘｐｅｒｔｓ  Ｇｒｏｕｐ）２形式で圧縮して記録したＤＶＤディスク等の記録可能な光ディスクをホームサーバで再生する場合について説明する。
【００１１】
図１は、本実施形態に係るホームサーバが適用される部屋内の全体構成を示す概略図である。コンテンツデータを記録したＤＶＤディスクなどの記録媒体１１０をホームサーバ（再生装置）１２０で再生すると、テレビ１３０、パソコン１４０、スピーカー１５０などで動画コンテンツが再生・出力される。図１ではさらに、このコンテンツが再生される部屋内には、照明機器１６０やエアコン１７０等の環境形成装置が設けられている。
【００１２】
記録媒体１１０には、コンテンツデータと、コンテンツデータの再生時間と対応付けがされているデータ形式で環境形成装置を制御するための制御信号とがそれぞれ、所定のフォーマット（例えばＭＰＥＧ２）で圧縮されて記録されている。なお、記録媒体１１０に、圧縮された制御信号を復号するプログラムも含まれていれば、圧縮された制御信号専用の復号器がホームサーバ１２０になくても、後述するように復号可能である。
【００１３】
したがって、ホームサーバ１２０が記録媒体１１０からコンテンツデータを読み込むと、自動的に環境形成装置用制御信号データも読み込まれる。そして、コンテンツデータの再生をすると、この再生タイミングに応じて環境形成装置用制御信号データが無線受信部１８０ａ，ｂ経由で照明機器１６０等の環境形成装置に送信され、例えば、照明機器１６０は上記再生タイミングに応じて照明のＯＮ，ＯＦＦが実行される。
【００１４】
図２は、ホームサーバ１２０の概略構成図である。ホームサーバ１２０は、記録媒体１１０から情報の読み込みを実行するディスクドライブ２１０と、このディスクドライブを制御するデータプロセッサ２２０と、ディスクドライブ２１０が読み込んだ情報を復号するデコーダ部３００と、情報の復号の基準となる同期情報信号を生成するための基準時計（ＳＴＣ；  Ｓｙｓｔｅｍ  Ｔｉｍｅ  Ｃｌｏｃｋ）２３０と、サーバ全体の動作を制御するマイクロコンピュータ部４００と、家庭内の機器にデータを送信する無線送信部５００とを有している。
【００１５】
マイクロコンピュータ部４００は、ＭＰＵ（Ｍｉｃｒｏ  Ｐｒｏｃｅｓｓｉｎｇ  Ｕｎｉｔ）４１０と、ディスクドライブ２１０の制御プログラム等が書き込まれたＲＯＭ（Ｒｅａｄ  Ｏｎｌｙ  Ｍｅｍｏｒｙ）４２０と、プログラム実行に必要なワークエリアを提供するためのＲＡＭ（Ｒａｎｄｏｍ  Ａｃｃｅｓｓ  Ｍｅｍｏｒｙ）４３０とを含んでいる。
【００１６】
マイクロコンピュータ部４００からの命令に従って、データプロセッサ２２０はディスクドライブ２１０を制御し、記録媒体１１０からＤＶＤ再生情報信号を読み取る。このＤＶＤ再生情報信号が、複数のパックを有するコンテンツ情報に相当し、ビデオ・パック（Ｖパック）、オーディオ・パック（Ａパック）、サブピクチャ・パック（ＳＰパック）等を含んでいる。それぞれのパックは、パック・ヘッダと一個以上のパケットで構成されている。
【００１７】
デコーダ部３００は、上記コンテンツ情報から各パックを分離して取り出すセパレータ３１０と、パック分離やその他の信号処理実行時に使用するメモリ３２０と、セパレータ３１０で分離されたＶパックをデコードするビデオ・デコーダ（Ｖデコーダ）、同様に分離されたＡパックをデコードするオーディオ・デコーダ（Ａデコーダ）、及び、同様に分離されたＳＰパックをデコードするサブピクチャ・デコーダ（ＳＰデコーダ）によって構成されるデコーダ群３３０と、Ｖデコーダから得られる主映像データに、ＳＰデコーダから得られる副映像データを適宜合成し、主映像にメニュー、字幕その他の副映像を重ねて出力するビデオ・プロセッサ３４０とを備えている。そして、ビデオ・プロセッサ３４０及びＡデコーダの出力信号がテレビ１３０、パソコン１４０、又は、スピーカー１５０に送られることによって、コンテンツを視聴することができる。
【００１８】
次に、デコーダ群３３０の各デコーダでの同期の取り方について説明する。Ｖパック、Ａパック、ＳＰパックそれぞれのパック・ヘッダには、システム時刻基準参照値（ＳＣＲ；Ｓｙｓｔｅｍ  Ｃｌｏｃｋ  Ｒｅｆｅｒｅｎｃｅ）がある。ＳＣＲは、デコーダ群３３０において時刻基準となるＳＴＣの値を符号器側で意図した値にセット（時刻合わせ）するための情報である。すなわち、デコーダ群３３０はＳＣＲを受け取ると、ＳＴＣをリセットする。そして、各デコーダは符号化した時の基準時間をＳＴＣ２３０で再現するためにＳＣＲを参照する。この時間参照によって、各デコーダはお互いに同期の取れたＶデータ、Ａデータ、ＳＰデータを復号することができる。なお、ＭＰＥＧ２では、ＳＴＣが２７ＭＨｚとなっているため、ＳＣＲも２７ＭＨｚの精度で表現されている。
【００１９】
図３は、本実施形態に係るコンテンツのデータ構造の概略図である。一つの動画コンテンツは、例えば、ＭＰＥＧ２方式のビデオオブジェクト（ＶＯＢ）一つに対応する。もちろん複数のＶＯＢが対応していても良い。そして、一つのＶＯＢは複数のビデオオブジェクトユニット（ＶＯＢＵ）で構成され、一つのＶＯＢＵは複数のパックから構成される。各パックはパック・ヘッダと一個以上のパケットで構成されている。
【００２０】
これら複数のパックとしては、ナビゲーション・パック（ＮＶパック）、ビデオ・パック（Ｖパック）、オーディオ・パック（Ａパック）、サブピクチャ・パック（ＳＰパック）などがある。ＮＶパックは、再生制御情報（ＰＣＩ）パケットとデータ・サーチ情報（ＤＳＩ）パケットで構成され、各ＶＯＢＵの先頭に設けられている。Ｖパックは、ビデオデータがＭＰＥＧ２方式で圧縮されたものである。Ａパックは、オーディオデータが例えばリニアＰＣＭ（Ｐｕｌｓｅ  Ｃｏｄｅ  Ｍｏｄｕｌａｔｉｏｎ）、ＭＰＥＧ、又はＡＣ３（Ａｕｄｉｏ  Ｃｏｄｅ  ｎｕｍｂｅｒ  ３）方式等で記録されたものである。ＳＰパックは、字幕表示などのビデオデータに重ねて表示させる副映像データが記録されている。また、これらパック内のパケットには、適宜、再生時刻を示すプレゼンテーションタイムスタンプ（ＰＴＳ）や、デコード時刻を示すデコーディングタイムスタンプ（ＤＴＳ）等のタイムスタンプが記述されている。そして、復号化は、このようなタイムスタンプと、ＳＣＲによって時刻合わせされたＳＴＣとに基づいて行われる。
【００２１】
上述したパックは、Ｔｈｅ  ｓｙｓｔｅｍ  ｐａｒｔ  ｏｆ  ｔｈｅ  ＭＰＥＧ２  ｓｔａｎｄａｒｄ（ＩＳＯ／ＩＥＣ  １３８１８−１）規格に適合していなければならない。逆にいえば、この規格に適合しているパック構造であれば、ＶＯＢＵに新たなパックを追加しても良い。
【００２２】
そこで、本実施形態では、環境形成装置用制御信号が記録されたコントロール・パック（Ｃパック）をＶＯＢＵに新たに導入する。Ｃパックも、ＮＶパック等の他のパックと同様に、パック長は２０４８バイトであり、パックヘッダが１４バイトで、残りが制御用パケットである。なお、制御用パケット長が２０３４バイト未満である場合は、パディング・パケットを加えてパック長を調整すればよい。
【００２３】
そして、Ｃパックは、他のパック同様に、圧縮されており、パック・ヘッダには先頭に設けられたパック開始コードと、ＳＣＲとがあり、パケットにはＰＴＳやＤＴＳ等のタイムスタンプがある。このＳＣＲによって、ビデオ及びオーディオ信号と制御信号の同期が取れる。
【００２４】
図４は、本実施形態に係るＣパック付きコンテンツをホームサーバが再生するフローチャートである。
ユーザがＣパック付きコンテンツが記録された記録媒体１１０をホームサーバ１２０へセットすると、ディスクドライブ２１０が起動する（Ｓ４１０）。続いて、ユーザがコンテンツのメニュー画面の表示を選択する（Ｓ４２０）。このメニュー画面では、コンテンツを通常通り映像と音声だけ再生する通常再生モードと、コンテンツが再生される部屋内の照明機器１６０やエアコン１７０等の環境形成装置を制御して、コンテンツ視聴環境の臨場感を盛り上げる臨場感アップモードの選択ができる。
【００２５】
そして、ユーザが臨場感アップモードへ設定すると（Ｓ４３０）、記録媒体１１０から臨場感アッププログラム（すなわち、圧縮された制御信号を復号するプログラム）がマイクロコンピュータ部４００のＲＡＭ４３０へインストールされる。
【００２６】
この後、ユーザがホームサーバ１２０にコンテンツ再生を指示すると（Ｓ４４０）、デコーダ部３００はディスクドライブ２１０及びデータプロセッサ２２０経由でコンテンツを受け取り、セパレータ３１０にて、ＶＯＢＵから各パックへ分離する（Ｓ４５０）。分離されたパックはいったんメモリ３２０に記憶される。
【００２７】
マイクロコンピュータ部４００のＭＰＵ４１０で起動した臨場感アッププログラムはメモリ３２０にＣパックがあるか否かを判断する（Ｓ４６０）。Ｃパックがある場合にはマイクロコンピュータ部４００がＣパックを読み込み、かつ、ＳＴＣ２３０からデコードのために基準となる同期情報信号も読み込みことによって、デコード処理を行う（Ｓ４７０）。ここで、Ｃパック内のＳＣＲとＳＴＣ２３０によって、Ｖ，Ａ，ＳＰデコーダ群３３０でデコード処理されたＶデータなどと同期がとれた環境形成装置用制御信号が生成できる。無線送信部５００経由で照明機器１６０等の環境形成装置へ制御信号が送信する（Ｓ４８０）。
【００２８】
一方、Ｃパック以外のパック（Ｖパックなど）はＶ，Ａ，ＳＰデコーダ群３３０でデコードされ（Ｓ４９０）、テレビ等の視聴装置へ出力される（Ｓ５００）。
このようにすれば、ユーザはコンテンツを視聴できる上に、これに同期した環境形成装置によって臨場感が高められた環境で視聴することができる。
また、環境形成装置用制御信号をデコードするときに用いるＳＣＲはＭＰＥＧ２形式の場合、２７ＭＨｚの精度で表現されているため、例えば、照明機器１６０の点滅制御なども２７ＭＨｚの精度で行うことができる。
【００２９】
さらに、Ｃパックは、各ＶＯＢＵそれぞれに設ける必要はない。例えば、Ｃパック一つの容量はＭＰＥＧ２形式の場合２０４８バイトであるので、この容量内でコンテンツ全体を再生している時間中の環境形成装置の制御をすることができれば、Ｃパックは一つだけ作成すればよい。したがって、環境形成装置用制御信号のデータ作成も容易である。
【００３０】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、Ｃパックを復号するために、臨場感アッププログラムをマイクロコンピュータ部へインストールしたが、Ｖ，Ａ，ＳＰデコーダ群のようにＣパック専用のデコーダを設けてもよい。また、ホームサーバは記録媒体以外にも、インターネット経由でコンテンツを受信し、再生してもよい。
【００３１】
【発明の効果】
上述したように本発明によれば、コンテンツを再生する際に、任意の時間間隔でこのコンテンツを再生する周囲の環境機器の制御を行うことができる再生装置を提供することができる。
【図面の簡単な説明】
【図１】本実施形態に係るホームサーバが適用される部屋内の全体構成を示す概略図。
【図２】ホームサーバ１２０の概略構成図。
【図３】本実施形態に係るコンテンツのデータ構造の概略図。
【図４】本実施形態に係るＣパック付きコンテンツをホームサーバが再生するフローチャート。
【符号の説明】
１１０  記録媒体
１２０  ホームサーバ（再生装置）
１３０  テレビ
１４０  パソコン
１５０  スピーカー
１６０  照明機器
１７０  エアコン
１８０ａ，ｂ  無線受信部
２１０  ディスクドライブ
２２０  データプロセッサ
２３０  ＳＴＣ
３００  デコーダ部
３１０  セパレータ
３２０  メモリ
３３０  デコーダ群
３４０  ビデオ・プロセッサ
４００  マイクロコンピュータ部
４１０  ＭＰＵ
４２０  ＲＯＭ
４３０  ＲＡＭ
５００  無線送信部
【図１】
2004180206.tif 000003
【図２】
2004180206.tif 000004
【図３】
2004180206.tif 000005
【図４】
2004180206.tif 000006